(57)【要約】  乗客コンベアの表示装置は、乗客コンベアの乗降口に設置された床板部の下部に設置され、光を透過させるために床板部に設けられた透光部を通して、乗客コンベアの手摺に対して、乗客コンベアの運転方向に関する識別情報を投影するプロジェクタと、プロジェクタによる識別情報の投影を制御し、識別情報を表示させる表示制御装置と、を備える。
2020021699.tif 000002
【特許請求の範囲】
【請求項１】
乗客コンベアの乗降口に設置された床板部の下部に設置され、光を透過させるために前記床板部に設けられた透光部を通して、前記乗客コンベアの手摺に対して、前記乗客コンベアの運転方向に関する識別情報を投影するプロジェクタと、
前記プロジェクタによる前記識別情報の投影を制御し、前記識別情報を表示させる表示制御装置と、
を備える表示装置。
【請求項２】
前記表示制御装置は、前記プロジェクタの光源を制御することによって、前記手摺の正面方向と共に、正面方向以外にも前記識別情報を表示させる
請求項１に記載の表示装置。
【請求項３】
前記乗客コンベアの踏板に接近する利用者の有無を検知する検知センサを更に備え、
前記表示制御装置は、前記検知センサにより前記利用者が検知された場合、前記プロジェクタによる前記識別情報の表示を停止させ、前記利用者が検知されない場合、前記プロジェクタによる前記識別情報の表示を行わせる
請求項１又は２に記載の表示装置。
【請求項４】
前記表示制御装置は、
前記乗客コンベアが運転状態であるか停止状態であるかを識別する状態情報を、前記乗客コンベアを運転制御するコントローラから取得し、
前記コントローラから取得した前記状態情報が待機状態である場合、前記プロジェクタによる前記識別情報の表示を行わせる
請求項１から３の何れか１項に記載の表示装置。
【発明の詳細な説明】
【技術分野】
【０００１】
本発明は、乗客コンベアの運転方向に関する識別情報を表示する表示装置に関する。
【背景技術】
【０００２】
一般に、動く歩道、エスカレータ等の乗客コンベアの運転方向は、踏板、手摺、及び踏板上の乗客の動きから、或る程度遠方からでも、目視により判別することができる。乗客がいない場合には、乗客コンベアの運転方向は、乗客の動きをもとに判別することはできないが、踏板及び手摺の動きから、或る程度遠方からでも、目視により判別することができる。【０００３】
乗客コンベアがエスカレータの場合であり、かつ、乗客が上階から下階へと乗り込む場合を考える。この場合、エスカレータにこれから乗車しようとする利用者は、踏板の動きが視認できないため、手摺の動きを目視することで、エスカレータの運転方向を判別する必要がある。このため、利用者は、踏板の動きだけでは、遠方からエスカレータの運転方向を目視で判別し難くなる。【０００４】
そこで、エスカレータ利用者向けのサービスとして、乗客コンベアに表示機能を持たせ、発光ダイオード等を用いて運転方向を明示するオプション機能付きの構成を採用する場合がある。例えば、このような表示機能としては、乗口には矢印を表示させ、降口には侵入禁止印を表示させる場合を例示できる。【０００５】
また、乗客が誰もいないときに乗客コンベアを停止して待機させる自動運転を行う場合には、乗客コンベアにこれから乗車しようとする利用者は、乗客コンベアが待機中に、踏板、或いは手摺の動きから運転方向を目視で判断することができない。このため、乗客コンベアが待機中にも、利用者が運転方向を識別できる表示機能を持たせることが必要となる。但し、運転方向が固定されている場合、看板、シール等の表示により、運転方向を明示する場合もある。【０００６】
自動運転を行う乗客コンベアにおいて、乗客を検出するためのセンサは、ポストに内蔵される場合と、乗客コンベア本体に内蔵される場合とがある。ポストにセンサが内蔵される構成では、ポストに運転方向を識別するための表示部を設けることにより、表示部の視認性が確保される。ところが、こうした構成は、建築レイアウト上の制約を受ける。このため、自動運転を行う場合であっても、必ずしもポストに表示部を設置できるとは限らない。【０００７】
そこで、建築レイアウト上の制約を受ける場合には、乗客コンベア本体にセンサを内蔵させ、乗客コンベア本体に表示部を設ける構成が適用される。また、自動運転を行わない場合には、根本的に乗客コンベア本体に表示部を設ける必要がある。【０００８】
ところが、乗客コンベア本体に表示部を設ける場合には、表示部のサイズ、あるいは設置位置に制約があり、視認性が乏しくなるのが実情である。【０００９】
そこで、こうした問題を解消するために、プロジェクタを用いて、乗客コンベアが設置されているスペースの天井に情報を表示する従来装置がある（例えば、特許文献１参照）。【００１０】
特許文献１に係る従来装置は、天井にスクリーンを設置し、乗客コンベアの側部に配置したプロジェクタからスクリーン上に映像を投影して、情報を表示するものである。
【先行技術文献】
【特許文献】
【００１１】
【特許文献１】特開２０１６−７４５３５号公報
【発明の概要】
【発明が解決しようとする課題】
【００１２】
しかしながら、天井のスクリーンに表示される情報は、遠方から死角になって視認できないことも想定される。こうした場合には、乗客コンベアにこれから乗車しようとする利用者は、利用者向けのサービスとして重要な乗客コンベアの運転方向に関する情報を、視認により判別できなくなるおそれがある。【００１３】
本発明は、このような問題点を解決するためになされたものであり、乗客コンベアの利用者に対して乗客コンベアの運転方向に関する識別情報を提供する際の視認性を改善することができる表示装置を提供することを目的とする。
【課題を解決するための手段】
【００１４】
上記目的を達成するため、本発明に係る表示装置は、乗客コンベアの乗降口に設置された床板部の下部に設置され、光を透過させるために床板部に設けられた透光部を通して、乗客コンベアの手摺に対して、乗客コンベアの運転方向に関する識別情報を投影するプロジェクタと、プロジェクタによる識別情報の投影を制御し、識別情報を表示させる表示制御装置と、を備える。
【発明の効果】
【００１５】
本発明によれば、上記構成の採用により、乗客コンベアの利用者に対して乗客コンベアの運転方向に関する識別情報を提供する際の視認性を改善することができるようになる。
【図面の簡単な説明】
【００１６】
【図１】本発明の実施の形態１に係る表示装置が適用される乗客コンベアの一例であるエスカレータの基本構成を示した側面図である。
【図２】図１に示すエスカレータの乗口側又は降口側の概略構成を、一部破断して示した外観斜視図である。
【図３】図１に示すエスカレータに備えられる表示装置の基本構成を示す機能ブロック図である。
【図４】図２に示す床板部に設けられる透光部の別構成例を示す平面図である。
【図５】図２に示すプロジェクタにより下部の手摺の曲部へ投影される上り運転時の運転方向を示す上り印の一例を示した模式図である。
【図６】図２に示すプロジェクタにより下部の手摺の曲部へ投影される上り運転時の運転方向を示す上り印の他例を示した模式図である。
【図７】図２に示すプロジェクタにより下部の手摺の曲部へ投影される下り運転時の運転方向を示す下り印の一例を示した模式図である。
【図８】図２に示すプロジェクタにより下部の手摺の曲部へ投影される下り運転時の運転方向を示す下り印の他例を示した模式図である。
【図９】図２に示すプロジェクタにより図６の上り印をスライド投影させて左側の手摺の曲部の端部へ部分的に表示する様子を説明するために示す手摺の断面図である。
【図１０】図２に示すプロジェクタにより図６の上り印をスライド投影させて右側の手摺の曲部の端部へ部分的に表示する様子を説明するために示す手摺の断面図である。
【図１１】図２に示すプロジェクタにより図６の上り印を左側の手摺に部分的に表示させる領域を説明するための正面図である。
【図１２】図２に示すプロジェクタにより図６の上り印を左側の手摺に部分的に表示させた状態を説明するための側面図である。
【図１３】本発明の実施の形態１に係る表示制御装置の各機能を専用のハードウェアである処理回路で実現する場合を示した構成図である。
【図１４】本発明の実施の形態１に係る表示制御装置の各機能をプロセッサ及びメモリを備えた処理回路により実現する場合を示した構成図である。
【発明を実施するための形態】
【００１７】
以下、本発明の表示装置について、実施の形態を挙げ、図面を参照して詳細に説明する。
【００１８】
実施の形態１．
図１は、本発明の実施の形態１に係る表示装置が適用される乗客コンベアの一例であるエスカレータ１００の基本構成を示した側面図である。
【００１９】
図１を参照すれば、エスカレータ１００は、建物の階床間に設置されるもので、下階床ＬＦと上階床ＵＦとの間で、矢印で示すように、上り又は下りの運転方向で駆動されることで、利用者である乗客を運ぶ。以下、利用者を乗客とする。通常、エスカレータ１００は、上り又は下りの何れかに運転方向が設定されて、使用される。
【００２０】
エスカレータ１００のフレームＦは、その長手方向の両端側が下階床ＬＦと上階床ＵＦとの間に延在するように設けられる。フレームＦは、トラスと呼ばれても良い。フレームＦの一端及び下階床ＬＦを繋ぐように、床板部１０が設置されている。また、フレームＦの他端及び上階床ＵＦを繋ぐように、床板部１０が設置されている。下階床ＬＦと上階床ＵＦとに係る床板部１０は、なだらかに傾斜して階床に接する傾斜部を有するように形成されている。
【００２１】
また、エスカレータ１００のフレームＦ内における下階床ＬＦと上階床ＵＦとに係る床板部１０の間には、無端状に連結された踏板２が設けられている。踏板２は、モータ等の駆動装置により、下階床ＬＦと上階床ＵＦとの間を循環移動する。更に、エスカレータ１００は、踏板２の進行方向に沿って、フレームＦ上に欄干３が垂直に設けられている。欄干３には、踏板２の進行方向と同一の方向に同一速度で移動する手摺４が設けられている。欄干３の下部内側は、内側デッキで覆われており、欄干３の下部外側は、外側デッキで覆われている。
【００２２】
図２は、エスカレータ１００の乗口側又は降口側の概略構成を、一部破断して示した外観斜視図である。但し、図２中では、エスカレータ１００の運転方向が下階床ＬＦから上階床ＵＦへと向かう上りの場合の乗口側と、上階床ＵＦから下階床ＬＦへと向かう下りの場合の降口側と、を兼用して示している。
【００２３】
図２を参照すれば、このエスカレータ１００において、乗口側又は降口側の床面に設置された床板部１０には、光を透過させる透光部１が設けられている。また、床板部１０の下部には、透光部１を通して両側の手摺４に対して、運転方向に関する識別情報を投影し、識別情報を表示させるプロジェクタ５が設置されている。
【００２４】
尚、図２では、２台のプロジェクタ５を用いて、両側の手摺４のそれぞれに識別情報を表示させる場合を例示しているが、１台のプロジェクタ５を用いて、左右のいずれか一方の手摺４に識別情報を表示させる構成とすることも可能である。その他、２台のプロジェクタ５を用いる場合、透光部１を床板部１０における両側の手摺４の正面方向にそれぞれ別個に設ける構成とすれば、より実用的である。
【００２５】
手摺４がフレームＦから出る出口箇所、又は手摺４がフレームＦに入る入口箇所には、乗客センサ６が設置されている。乗客センサ６は、踏板２に接近する乗客の有無を検知する検知センサである。
【００２６】
図３は、エスカレータ１００に備えられる表示装置１０１の基本構成を示す機能ブロック図である。
【００２７】
図３を参照すれば、本実施の形態３に係る表示装置１０１は、プロジェクタ５、乗客センサ６、及び表示制御装置７を備えて構成されている。なお、乗客センサ６は、必須の構成ではない。また、表示装置１０１内の表示制御装置７は、エスカレータ１００の運転を統括制御するコントローラ２００と接続され、エスカレータ１００が運転状態であるか停止状態であるかを識別する状態情報を取得できる構成となっている。
【００２８】
プロジェクタ５は、エスカレータ１００の乗降口側の床板部１０の下部に、上階床と下階床とに２台ずつ、総計４台が設置されている。これらのプロジェクタ５は、いずれも、図２に示したように、透光部１を通して手摺４の曲部を表示箇所として、必要な情報を投影することができる。
【００２９】
各プロジェクタ５は、それぞれの表示箇所に対して、運転方向に関する識別情報を投影する。各プロジェクタ５は、識別情報を表示させるための光源を備えて構成されている。これらの光源は、手摺４に対する正面方向から外れて設置されても良い。こうした場合、各プロジェクタ５から投影された識別情報は、手摺４の正面方向以外からも視認可能となる。
【００３０】
これに合わせて、透光部１の位置、構成を変更しても良い。例えば、図４に示すように、床板部１０における両側の手摺４の正面方向に透光部１をそれぞれ別個に設ければ、乗客に踏まれて傷、汚れが付き難く、乗客センサ６の検知範囲と干渉し難い。プロジェクタ５の設定配置に係る説明については、後文で詳述する。尚、表示制御装置７は、手摺４の移動方向に合わせて、各プロジェクタ５による識別情報の投影を制御し、識別情報をスライドさせるように、表示させることも可能である。
【００３１】
乗客センサ６は、両側の手摺４に係るフレームＦへの出入口箇所に、２個ずつ、総計４個が設置される。但し、設置個数は、これに限定されず、例えば、上階床と下階床とで１個ずつ設置する構成を採用することも可能である。乗客センサ６は、踏板２に接近する乗客の有無を光学的に検知する。その検知領域は、問わないものする。乗客センサ６は、発光部及び受光部の組み合わせとして構成することができる。
【００３２】
乗客センサ６における発光部は、プロジェクタ５による表示を妨げない波長を使用すれば良い。乗客センサ６は、これに限定されるものでなく、その他に赤外線を含む電磁波、音波等を利用するものであっても良い。発光部が電磁波、音波等を発する場合、起動部と呼ばれる方が適切である。その場合、受光部は、受波部と呼ばれる方が適切である。要するに、乗客センサ６は、乗客を検知する検知センサとしての機能を持てば良い。
【００３３】
表示制御装置７は、エスカレータ１００の上階床及び下階床において、床板部１０の下部に１台ずつ、総計２台設置される。これらの表示制御装置７は、プロジェクタ５による識別情報の投影を制御し、識別情報を表示させる。また、表示制御装置７は、プロジェクタ５による識別情報の表示を制御する際に、乗客センサ６からの乗客の有無の検知結果を用いることもできる。
【００３４】
具体的に云えば、表示制御装置７は、乗客センサ６による検知結果に基づいて、乗客がいることで、識別情報を手摺４に表示させることができないと判断した場合には、プロジェクタ５による表示を停止させる制御を行う。この結果、乗客は、手摺４に表示される識別情報を視認することはできない。しかしながら、この乗客は、乗降口の近傍にいるため、エスカレータ１００の踏板２、或いは、手摺４の動きを視認することができ、エスカレータ１００の運転方向を容易に判別することができる。
【００３５】
一方、乗降口から遠方の位置にいる利用者は、プロジェクタ５による識別情報の表示が停止されることで、識別情報を視認できなくなる。但し、遠方にいる利用者は、乗降口の近傍にいる乗客の動きを視認することができるため、識別情報を視認できない場合であっても、エスカレータ１００の運転方向を、乗客の動きを参考にして判別することが可能となる。
【００３６】
尚、エスカレータ１００を運転制御するコントローラ２００が、自動運転機能を有している場合には、乗客センサ６と同等な機能のセンサがエスカレータ１００に標準装備されている。ここで、自動運転機能とは、乗客がいないときにエスカレータ１００を低速運転状態又は停止状態として待機させ、待機状態において、エスカレータ１００にこれから乗車する利用者を検出したときには、通常運転を再開させるものである。
【００３７】
このような自動運転機能を有しているエスカレータ１００において、表示制御装置７は、コントローラ２００からエスカレータ１００の状態情報を取得することで、状態情報に応じて、プロジェクタ５による識別情報の表示を制御することができる。この結果、表示が不要な状態には、プロジェクタ５による投影を停止させることができ、消費電力を抑制して省エネを図ることができる。一方、状態情報が待機状態である場合には、プロジェクタ５による識別情報の表示を行わせることで、乗客コンベアの利用者に対して乗客コンベアの運転方向に関する識別情報を提供することができる。
【００３８】
図５は、プロジェクタ５により下部の手摺４の曲部へ投影される上り運転時の運転方向を示す上り印の一例を示した模式図である。また、図６は、プロジェクタ５により下部の手摺４の曲部へ投影される上り運転時の運転方向を示す上り印の他例を示した模式図である。これらの例は、上り運転時の運転方向を示す上り印を識別情報として採用する場合を示している。
【００３９】
図５を参照すれば、床板部１０の下方に光源を設けたプロジェクタ５から透光部１を通して、図２中に示したような下部の手摺４の曲部に対して、１本の上向き矢印が投影される。即ち、表示制御装置７は、プロジェクタ５を制御することで、エスカレータ１００の運転方向及び乗口を判別するための識別情報として、１本の上向き矢印を両側の手摺４の曲部上に表示させることができる。
【００４０】
図６に示す上り印は、４つの上向きハットマークを例示している。これにより、比較的高い位置の正面方向に対して、或る程度のサイズで図６に示す識別表示を表示させることが可能となる。このため、遠方の利用者がエスカレータ１００の運転方向を目視する際の視認性を改善することができる。
【００４１】
図７は、プロジェクタ５により下部の手摺４の曲部へ投影される下り運転時の運転方向を示す下り印の一例を示した模式図である。また、図８は、プロジェクタ５により下部の手摺４の曲部へ投影される下り運転時の運転方向を示す下り印の他例を示した模式図である。これらの例は、下り運転時の運転方向を示す下り印を識別情報として採用する場合を示している。
【００４２】
図７を参照すれば、床板部１０の下方に光源を設けたプロジェクタ５から透光部１を通して、図２中に示したような下部の手摺４の曲部に対して、１つのストップマークが投影される。即ち、表示制御装置７は、プロジェクタ５を制御することで、エスカレータ１００の運転方向及び降口を判別するための識別情報として、１つのストップマークを両側の手摺４の曲部上に表示させることができる。
【００４３】
図８に示す下り印は、４つの下向きハットマークを例示している。この場合には、図６で説明した場合と同様に、遠方の利用者がエスカレータ１００の運転方向を目視する際の視認性を改善することができる。尚、図５〜図８を参照して説明したエスカレータ１００の運転方向の表示サービスは、実際にエスカレータ１００を利用している乗客でなく、これからエスカレータ１００に乗車しようとしている遠方の利用者向けとみなして良い。
【００４４】
図９は、プロジェクタ５により図６の上り印をスライド投影させて左側の手摺４の曲部の端部へ部分的に表示する様子を説明するために示す手摺４の断面図である。図１０は、プロジェクタ５により図６の上り印をスライド投影させて右側の手摺４の曲部の端部へ部分的に表示する様子を説明するために示す手摺４の断面図である。図１１は、プロジェクタ５により図６の上り印を左側の手摺４に部分的に表示させる領域を説明するための正面図である。図１２は、プロジェクタ５により図６の上り印を左側の手摺４に部分的に表示させた状態を説明するための側面図である。
【００４５】
図９を参照すれば、ここでは、床板部１０の下部箇所に設置されるプロジェクタ５の光源を、左側の手摺４の正面方向から外れた位置に設置した状態を例示している。図１０を参照すれば、ここでは、床板部１０の下部箇所に設置されるプロジェクタ５の光源を、右の手摺４の正面方向から外れた位置に設置した状態を例示している。例えば、プロジェクタ５の光源の設置位置が手摺４の正面方向よりも、外側である場合を想定する。こうした場合、プロジェクタ５の光源によって、運転方向を示す上り印は、図１１に示すように左側の手摺４における左側の領域Ｅに投影させる。右側の手摺４についても、左右対称となるように、上り印を右側の手摺４における右側の領域Ｅに投影させる。
【００４６】
即ち、表示制御装置７は、図１１に示すように、左側の手摺４に対して、４つの上向きハットマークを、左側の領域Ｅを含む領域にスライド投影させることにより、正面方向以外からも、運転方向を視認可能とすることができる。右側の手摺４に対しては、４つの上向きハットマークを、右側の領域Ｅを含む領域にスライド投影させれば良い。
【００４７】
図１２がそのときの左側の手摺４の曲部の端部の様子を示したものである。右側の手摺４の曲部の端部については、投影が左右対称となる。これにより、正面方向以外の遠方からでも、利用者は、領域Ｅに部分的に表示された識別情報を視認することができ、エスカレータ１００の運転方向が上りであることを判断できる。
【００４８】
このように、実施の形態１に係る表示装置によれば、エスカレータの乗客に対して、運転方向に関する識別情報を提供する際の視認性を改善することができる。しかも、特別な構成を必要とせずに、低コストで広範囲に遠方からでも運転方向を判別できる表示装置を実現できる。
【００４９】
尚、実施の形態１では、乗客コンベアをエスカレータ１００とした場合を説明した。これに対して、実施の形態１に係る表示装置１０１は、乗客コンベアを動く歩道とした場合にも同様に適用できる。
【００５０】
また、上述した実施の形態１に係る表示装置における表示制御装置７の各機能は、処理回路によって実現される。各機能を実現する処理回路は、専用のハードウェアであっても良く、メモリに格納されるプログラムを実行するプロセッサであっても良い。図１３は、本発明の実施の形態１に係る表示制御装置７の各機能を専用のハードウェアである処理回路１０００で実現する場合を示した構成図である。また、図１４は、本発明の実施の形態１に係る表示制御装置７の各機能をプロセッサ２００１及びメモリ２００２を備えた処理回路２０００により実現する場合を示した構成図である。
【００５１】
処理回路が専用のハードウェアである場合、処理回路１０００は、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）、またはこれらを組み合わせたものが該当する。表示制御装置７における各機能を個別の処理回路１０００で実現しても良いし、それらの機能をまとめて処理回路１０００で実現しても良い。
【００５２】
一方、処理回路がプロセッサ２００１の場合、表示制御装置の機能は、ソフトウェア、ファームウェア、またはソフトウェアとファームウェアとの組み合わせにより実現される。ソフトウェアおよびファームウェアは、プログラムとして記述され、メモリ２００２に格納される。プロセッサ２００１は、メモリ２００２に記憶されたプログラムを読み出して実行することにより、各部の機能を実現する。即ち、表示制御装置７は、処理回路２０００により実行されるときに、上述した表示制御装置７の機能が結果的に実行されることになるプログラムを格納するためのメモリ２００２を備える。
【００５３】
これらのプログラムは、上述した各部の手順あるいは方法をコンピュータに実行させるものであるともいえる。ここで、メモリ２００２とは、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）等の、不揮発性または揮発性の半導体メモリが該当する。また、磁気ディスク、フレキシブルディスク、光ディスク、コンパクトディスク、ミニディスク、ＤＶＤ等も、メモリ２００２に該当する。
【００５４】
他方、上述した表示制御装置７の機能について、一部を専用のハードウェアで実現し、一部をソフトウェア又はファームウェアで実現するようにしても良い。
【００５５】
このように、処理回路は、ハードウェア、ソフトウェア、ファームウェア、またはこれらの組み合わせによって、上述した各部の機能を実現することができる。
【符号の説明】
【００５６】
１  透光部、２  踏板、３  欄干、４  手摺、５  プロジェクタ、６  乗客センサ、７  表示制御装置、８  制御盤、１０  床板部、１００  エスカレータ、１０１  表示装置、Ｆ  フレーム、ＬＦ  下階床、ＵＦ  上階床。
【図１】
2020021699.tif 000003
【図２】
2020021699.tif 000004
【図３】
2020021699.tif 000005
【図４】
2020021699.tif 000006
【図５】
2020021699.tif 000007
【図６】
2020021699.tif 000008
【図７】
2020021699.tif 000009
【図８】
2020021699.tif 000010
【図９】
2020021699.tif 000011
【図１０】
2020021699.tif 000012
【図１１】
2020021699.tif 000013
【図１２】
2020021699.tif 000014
【図１３】
2020021699.tif 000015
【図１４】
2020021699.tif 000016
【国際調査報告】
2020021699.tif 000017
2020021699.tif 000018
2020021699.tif 000019
2020021699.tif 000020